(57)【要約】【課題】人のプライバシーを害することなく、人の状況に応じた異変を早期に検知することができる異変検知システムを提供する。【解決手段】人の存在を検出するセンサ２２と、センサ２２に接続され、人を検出したセンサ２２を特定する特定情報と検出時刻を特定する検出時刻情報とを対応付けて蓄積する記憶部３２と、記憶部３２に蓄積された情報に基づいて人の行動または人の現在の状態を特定し、特定した行動または状態に基づいて異変の発生を検知する処理部３３と、処理部３３が異変の発生を検知した場合に、管理者に異変の発生を通報する異変通報部３４とを有することにより、人の状況に応じた異変を早期に検知する。【選択図】図１
2011209860.tif 000002
【特許請求の範囲】
【請求項１】
人の存在を検出する人感センサと、
前記人感センサに接続され、人を検出した前記人感センサを特定する特定情報と検出時刻を特定する検出時刻情報とを対応付けて蓄積する蓄積手段と、
前記蓄積手段に蓄積された情報に基づいて人の行動または人の現在の状態を特定し、特定した行動または状態に基づいて異変の発生を検知する異変検知手段と、
前記異変検知手段が異変の発生を検知した場合に、管理者に異変の発生を通報する異変通報手段と
を有することを特徴とする異変検知システム。
【請求項２】
前記人感センサは、
部屋の出入り口の外側に設置された第１の人感センサと、
前記部屋の出入り口の内側に設置された第２の人感センサと、を有し、
前記異変検知手段は、
前記第１の人感センサが人を検出した後、所定時間内に前記第２の人感センサが人を検出した場合に、人が前記部屋へ入室したと特定し、
入室を特定した後、一定時間内に、前記人感センサのいずれも人を検出しない場合には、人に異変が発生したと判別すること
を特徴とする請求項１に記載の異変検知システム。
【請求項３】
前記人感センサは、人が所定範囲内に入ったことを検出する手段と、人が所定範囲内から出たことを検出する手段と、を有し、
前記異変検知手段は、
前記人感センサが、人が所定範囲内に入ったことを検出した後、一定時間内に、人が所定範囲内から出たことを検出できない場合には、人に異変が発生したと判別すること
を特徴とする請求項１に記載の異変検知システム。
【請求項４】
前記人感センサは、マットと、該マットに備え付けられた圧力センサと、を有すること
を特徴とする請求項１乃至３のいずれか１項に記載の異変検知システム。
【請求項５】
前記圧力センサは、
人が前記マットの上を通過する際の圧力や振動を電気エネルギーに変換する圧電素子と、
前記圧電素子により、前記マット上の人の存在を検出する検出手段と、を有し、
前記人感センサは、
前記圧電素子が変換した電気エネルギーをエネルギー源として、前記蓄積手段に情報を送信する送信手段
を有することを特徴とする請求項４に記載の異変検知システム。
【発明の詳細な説明】
【技術分野】
【０００１】
本発明は、人等の異変を検知する異変検知システムに関する。
【背景技術】
【０００２】
一人暮らしの高齢者の増加等の理由により、人の異変を検出し、通報するシステムの要請が高まっている。
【０００３】
この種の技術として、特許文献１には、家電製品（例えば、炊飯ジャーや電気ポット）の操作の有無を監視し、一定時間操作がないと判断した場合には、利用者に異変が発生したものとして管理者へ通報するシステムが開示されている。
【先行技術文献】
【特許文献】
【０００４】
【特許文献１】特開平１０−２４８０９３号公報
【発明の概要】
【発明が解決しようとする課題】
【０００５】
特許文献１のシステムは、機器の操作の有無のみで異変の有無を検出している。このため、検出できる異変の種類が限られ、利用者の状況に応じた異変の検出は困難である。また、異変の発生から検知までにかなりの時間がかかる。
【０００６】
家中にカメラを設置すれば、詳細に利用者の行動を特定した上で早期に異変を検知できるが、これでは利用者のプライバシーが害される。
【０００７】
本発明はこれらの問題を鑑みてなされたものであり、プライバシーを害することなく、人の状況に応じた異変を早期に検知することができる異変検知システムを提供することを目的とする。
【課題を解決するための手段】
【０００８】
上記目的を達成するため、本発明に係る異変検知システムは、人の存在を検出する人感センサと、前記人感センサに接続され、人を検出した前記人感センサを特定する特定情報と検出時刻を特定する検出時刻情報とを対応付けて蓄積する蓄積手段と、前記蓄積手段に蓄積された情報に基づいて人の行動または人の現在の状態を特定し、特定した行動または状態に基づいて異変の発生を検知する異変検知手段と、前記異変検知手段が異変の発生を検知した場合に、管理者に異変の発生を通報する異変通報手段とを有することを特徴とする。
【発明の効果】
【０００９】
本発明によれば、人のプライバシーを害することなく、人の行動に応じて早期に異変の検知をする異変検知システムを提供することができる。
【図面の簡単な説明】
【００１０】
【図１】本発明を実施するための形態に係る異変検知システムの構成を示したブロック図である。
【図２】圧力センサ付マットが処理装置に送信する検出データのフォーマットを示した図である。
【図３】検出データの例を示した図である。
【図４】圧力センサマットの配置例を示す図である。
【図５】住宅の例を示す図である。
【図６】処理装置に蓄積した受信履歴の例を示した図である。
【図７】処理装置で行う異変検知処理のフローチャートである。
【図８】パターンデータをデータベースに格納した様子を示した図である。
【発明を実施するための形態】
【００１１】
（実施の形態）
本発明を実施するための形態に係る異変検知システム１は、圧力センサ付マット２で検出したデータを処理装置３で解析することで、利用者が長時間寝室から出てこない等の異変を検知する。以下、図面を参照しながら、本発明の実施の形態に係る異変検知システムについて説明する。
【００１２】
異変検知システム１は、図１に示すように、複数の圧力センサ付マット２（２１〜２ｎ）と処理装置３から構成される。
【００１３】
各圧力センサ付マット２は、マット上の人の存在を検出するためのものであり、トイレ、台所、風呂、寝室、リビングの入り口等、人の動きを検出できる場所に設置される。各圧力センサ付マット２は、人を検出すると、人を検出したことを示す検出データを処理装置３に送信する。
【００１４】
各圧力センサ付マット２は、マット本体２１と、マット本体２１に取り付けられた圧力センサ２２から構成される。圧力センサ付マット２は、マット上の人の存在を検出するためのものである。この実施形態では、理解を容易にするため、住居内に複数の圧力センサ付マット２が配置されているものとする。
【００１５】
マット本体２１は、玄関や脱衣場に設置されるような足拭きマットである。形、大きさ等は任意である。
【００１６】
圧力センサ２２は、圧力検出部２３、制御部２４、データ送信部２５、タイマ２６、識別ＩＤ格納部２７から構成される。
【００１７】
圧力検出部２３は、マットに加わる圧力によってマット上の人の存在を検出する。具体的には、以下の２つのうちの１つを検出する。
オン化    ：  利用者がマットに乗った瞬間
オフ化    ：  利用者がマットから降りた瞬間
【００１８】
圧力検出部２３はオン化、オフ化のいずれか（以下、「検出結果」という）を検出すると、その検出結果を制御部２４に送信する。
【００１９】
制御部２４は圧力検出部２３から受信した検出結果に、タイマ２６から取得した現在の「時刻」や、識別ＩＤ格納部２７から取得した「識別ＩＤ」を付加して、図２に示す構成の検出データを生成する。そして、その検出データをデータ送信部２５に送信する。
【００２０】
データ送信部２５は、制御部２４から受信した検出データを処理装置３に送信する。
【００２１】
タイマ２６は現在の時刻をカウントする。タイマ２６は、制御部２４に現在の時刻を送信する。
【００２２】
識別ＩＤ格納部２７は、圧力センサ付マット２を他のマットと識別するための識別ＩＤ（識別情報）を格納している。この識別ＩＤは数値であってもよいし、図３に示すようにテキストデータ（例えば“トイレマット”）であってもよい。識別ＩＤ格納部２７は、制御部２４に、その識別ＩＤを送信する。
【００２３】
処理装置３は、データ受信部３１、記憶部３２、処理部３３、異変通報部３４、タイマ３５から構成される。
【００２４】
データ受信部３１は、圧力センサ付マット２から検出データを受信する。データ受信部３１は、受信した検出データを処理部３３に送信する。処理部３３はこの検出データを受信して記憶部３２に送信する。
【００２５】
記憶部３２は、「受信履歴」、「通報場所」、および、「パターンデータ」を記憶する。ここで、受信履歴とは、処理部３３から受信した検出データを記憶部３２に蓄積したデータのことである。また、通報場所とは人に異変が発生した場合の通報場所を示すデータ（例えば管理者の電話番号）のことである。さらに、パターンデータとは、受信履歴から人の行動（または現在の状態）を特定するために、人の行動（または現在の状態）をデータ化したもののことである。
【００２６】
このパターンデータは２つの条件部から構成される。一方は行動状態条件であり、もう一方は制限時間条件である。ここで、行動状態条件とは、圧力センサ付マット２のオンオフの組み合わせにより人の行動（または人の現在の状態）を定義したものであり、制限時間条件とは、特定された状態（または特定された行動により生じた状態）が継続した場合の、異変発生と判別するまでの制限時間である。行動状態条件に合致し、かつ制限時間条件に定義する制限時間を超えたとき、異変発生と判別する。
【００２７】
例えば、図４に示す住宅で考えると、人が風呂に入ったまま、長時間出てこない場合には、何らかの「異変」が発生しているおそれがある。そのため、人が「風呂に入った」ことをデータ化し、かつ、風呂に入った状態が一定時間以上（例えば２時間以上）継続している場合に、「異変発生」と判別することが考えられる。
【００２８】
このようなパターンデータ１は、例えば以下のように記述される。
（風呂外側マットがオン化した後、風呂外側マットが３秒以内にオフ化）  かつ
（風呂内側マットがオン化した後、風呂内側マットが３秒以内にオフ化）  かつ
（風呂外側マットのオフ化時刻が、風呂内側マットのオフ化時刻より前で、５秒以内）  かつ
（この状態が１時間以上継続）。
【００２９】
このパターンデータ１では、前段の「(風呂外側マットがオン化した後、風呂外側マットが３秒以内にオフ化)  かつ  (風呂内側マットがオン化した後、風呂内側マットが３秒以内にオフ化)  かつ  (風呂外側マットのオフ化時刻が、風呂内側マットのオフ化時刻より前で、５秒以内)」までが行動状態条件である。この行動状態条件では「人が風呂に入った（入っている）」という行動（状態）を特定できる。また、後段の「（この状態が１時間以上継続）」は制限時間条件であり、風呂に入った状態が「１時間以上」継続した場合に異変発生としている。
【００３０】
同様に、人が長時間トイレに入ったまま長時間経過した場合には、何らかの「異変」が発生しているおそれがある。そのため、人が「トイレに入った」状態にあることをデータ化し、かつ、トイレに入った状態が所定時間（例えば３０分）以上継続している場合に、「異変発生」と判別することが考えられる。
【００３１】
なお、図４では、トイレマット２１７は、利用者がトイレに入っている間、継続してオンする配置になっているものとする。この場合のパターンデータ２は、以下のように記述される。
（トイレマットがオン化）  かつ  （その状態が３０分以上継続）。
【００３２】
処理部３３は、受信履歴とパターンデータをマッチングすることで人の行動（状態）を特定する。そして、処理部３３は、特定した状態が一定時間以上継続した場合に、人に異変が発生したものとして、異変通報部３４に通報を命令する。なお、これらの処理は「異変検知処理」として後述する。処理部３３は、タイマ３５からの割り込み信号に応答して、この異変検知処理を開始する。
【００３３】
異変通報部３４は、処理部３３の求めに応じて利用者の異変を管理者等の下にある受信システム５に通報する。通報場所の情報は記憶部３２から取得する。
【００３４】
タイマ３５は現在の時刻をカウントする。そして、処理部３３に現在の時刻を送信する。また、タイマ３５は１分毎に処理部３３に割り込み信号を出力する。
【００３５】
次に、異変検知システム１の動作について説明する。以下では、理解を容易にするため、図４に示す住宅の居住者の異変を検出するシステムを例に、その動作を説明する。
【００３６】
図４に示すように、この住宅は、リビング、寝室、風呂場、トイレ、玄関、廊下、台所を備える。
【００３７】
設計担当者は、部屋の見取り図に基づいて、どの位置にマット２を設定するかを検討し、住人の動き（部屋等への出入り）を検出することが望ましい位置には複数の圧力センサ付マット２を設置する。例えば、寝室やお風呂に「入った」及び寝室から「出た」等の動きの方向を検出する位置には、２枚の圧力センサ付マット２を配置する。図５の住宅では、例えば、図４に示すように、各部屋の出入り口の扉４の前に、寝室外側マット２１１、寝室内側マット２１２、風呂外側マット２１３、風呂内側マット２１４、リビング外側マット２１５、リビング内側マット２１６を配置する。
【００３８】
また、「台所にいる」、「トイレに入っている」、というような状態を検出する場所には、１枚の圧力センサ付マット２を設置する。図５の住宅では、例えば、図４に示すように、トイレマット２１７、台所マット２１８を配置する。ただし、この場合には、設置する圧力センサ付マット２を、台所で食事や調理をしている間あるいはトイレに入っている間、使用者を検出できるような形状および配置とすることが望ましい。
【００３９】
次に、圧力センサ付マット２の配置に基づいて、異常が発生したと検出するためのパターンデータを設計する。
【００４０】
前述のように、住人がある部屋に入ったまま長時間出てこない場合には、何らかの異変が発生した可能性が高い。このため、各部屋の外側にあるマットが人を検出し、続いてその部屋の内側マット２が人を検出し、その後、一定時間以上その状態が継続した場合には、異変が発生したと判別する。ただし、異変発生と判別するまでの時間は、部屋の性質・用途等に応じて設定する。例えば、お風呂であれば比較的短い１時間、リビングであれば４時間、寝室であれば１０時間等である。
【００４１】
このような異変を検知するため、前述したパターンデータ１や、次に示すパターンデータ３が作成される。
（寝室外側マットがオン化した後、寝室外側マットが３秒以内にオフ化）  かつ
（寝室内側マットがオン化した後、寝室内側マットが３秒以内にオフ化）  かつ
（寝室外側マットのオフ化時刻が、寝室内側マットのオフ化時刻より前かつ５秒以内）  かつ
（この状態が１０時間以上継続）。
【００４２】
また、例えば、人がトイレに長時間入ったままであったり、台所に長時間滞在したりする場合にも異変が発生している可能性がある。そこで、前述したパターンデータ２や、次に示すパターンデータ４が作成される。
(台所マットがオン化)  かつ  （その状態が２時間以上継続）。
【００４３】
このようにして設計されたパターンデータは、処理装置３の記憶部３２に登録される。
【００４４】
続いて、異変検知システム１の動作を説明する。
電源が投入されると、圧力センサ付マット２の圧力検出部２３は人の検出を開始し、処理装置３のデータ受信部３１が検出データの受信を開始し、処理部３３が異変検知処理を開始する。
【００４５】
圧力検出部２３は、マット上に利用者の存在を検出すると、その検出結果を検出データとしてデータ送信部２５に送信する。データ送信部２５はその検出データを、無線等を使って処理装置３に送信する。
【００４６】
データ受信部３１は検出データを受信して、処理部３３に供給する。処理部３３は、供給された検出データを記憶部３２に記して、図６に示す受信履歴を更新する。
【００４７】
処理部３３は、この受信履歴を基に異変検知処理を実行する。以下、図７を参照して、処理部３３が実行する異変検知処理について説明する。
【００４８】
タイマ３５は１分毎に処理部３３に割り込み信号を出力する。処理部３３はタイマ３５からの割り込み信号に応答して、図７に示す異変検知処理を開始する。
【００４９】
異変検知処理を開始すると、処理部３３は、まず、最新の検出データを含む受信履歴とパターンデータをマッチングし、行動状態条件に定義する行動を行っているか否か（行動状態条件に定義する状態にあるか否か）を判別する（ステップＳ０１）。一致すると判別した場合（ステップＳ０１；Ｙｅｓ）、処理部３３は、タイマ３５から現在時刻を読み出し、一致すると判別した状態の継続時間が、制限時間条件に定義する制限時間に達しているか否かを判別する（ステップＳ０２）。
継続時間が制限時間に達していると判別した場合（ステップＳ０２；Ｙｅｓ）、予め登録されている通報先に、通報する（ステップＳ０３）。
一方、ステップＳ０１で、最新の検出データを含む受信履歴がいずれのパターンデータにも一致しないと判別した場合（ステップＳ０１；Ｎｏ）、および、ステップＳ０２で、継続時間が制限時間に達していないと判別した場合（ステップＳ０２；Ｎｏ）、今回の処理を終了する。
【００５０】
例えば、図６の受信履歴の（履歴１）で示した箇所を見ると、利用者は風呂外側マットに２０時１１分２２秒に乗った後、３秒以内にそのマットから降りている。また、利用者は風呂内側マットに２０時１１分２４秒に乗った後、３秒以内にそのマットから降りている。利用者が風呂外側マットから降りた時刻（２０時１１分２４秒）は、風呂内側マットから降りた時刻（２０時１１分２５秒）より前で、５秒以内である。この箇所は、利用者がお風呂に入ったことを意味し、パターンデータ１に記載の条件に合致する。従って、制御部３３は、ステップＳ０１でＹｅｓと判別し、タイマ３５から現在時刻情報を取得し、風呂内側マットからおりた時刻（２０時１１分２５秒）から２時間が経過したか否かを判別する（ステップＳ０２）。例えば、現在時刻が２１時１１分００秒であれば、２時間が経過していないので（ステップＳ０２；Ｎｏ）、条件を満たさないと判別する。一方、この状態が継続して２２時１２分００秒になると、異変が発生したと判別し（ステップＳ０２；Ｙｅｓ）、登録されている連絡先に通報する（ステップＳ０３）。
【００５１】
また、２２時１２分００秒前に、例えば、住人が風呂から出て、風呂内側マット２１４を踏むと、新たな検出情報が追加されて履歴情報が更新される。これにより、最新の検出データを含む履歴が、パターンデータ１に合致することは無くなり、異変無しと判別されるようになる（ステップＳ０１；Ｎｏ）。
【００５２】
また、図６の履歴２を見ると、最後の検出データを含む履歴情報によると、利用者がトイレマットに１８時４６分５１秒からに乗った状態が続いており、パターンデータ２に合致する（ステップＳ０１；Ｙｅｓ）。続いて、タイマ３５が提供する現在時刻に基づいて、利用者がトイレマットに乗った時刻（１８時４６分５１秒）から制限時間の２時間が経過したか否かを判別する（ステップＳ０２）。例えば、現在時刻が２０時１０分００秒であれば、制限時間の２時間に達していないので、条件を満たさないと判別する（ステップＳ０２；Ｎｏ）。一方、この状態が継続して２０時４７分００秒になると、異変が発生したと判別され（ステップＳ０２；Ｙｅｓ）、登録されている連絡先に通報する（ステップＳ０３）。
【００５３】
また、２０時４７分００秒前に、例えば、住人がトイレから出ると、トイレマットのオフ化が検出され、新たな検出情報が追加されて履歴情報が更新される。これにより、最新の検出データを含む履歴が、パターンデータ２に合致することは無くなり、異変無しと判別される。
【００５４】
以上説明したように、本実施の形態によれば、利用者の行動ごとに異常と判断するまでの時間を設定できる。そのため、利用者の行動に応じて早期に異変の検知をすることができる。
【００５５】
また、処理装置３は複数のマットを一度に管理できるため、リビング、寝室、風呂、トイレ、台所等、複数の場所にマットを設置することにより、より早期に利用者の異変を検出できる。
【００５６】
異変検知システム１では、カメラ等、プライバシーを侵害するような装置は使用していないので、利用者のプライバシーが害されることはない。
【００５７】
マットは家の中のどこにでも設置できる。そのため、利用者の状態や生活習慣等にあわせた柔軟な異変検知システムが実現できる。例えば、高血圧の利用者であれば、風呂場にマットを設置することにより風呂場での異常を早期に発見できる。また、テレビの前で長時間過ごす習慣のある利用者であれば、テレビの前を避けてマットを設置することにより誤った推測を防止することができる。
【００５８】
マットの設置は床に置くだけで完了する。システムを導入するためにわざわざ家の中を改造する必要はない。従って、本システムを使用すれば、設置の手間がほぼゼロでシステムを導入できる。
【００５９】
圧力センサ付マット２から処理装置３への、検出データの出力手段は無線であってもよい。無線を使用すれば、センサ設置の自由度がさらに高まる。
【００６０】
人の存在を検出する手段は圧力センサでなくてもよい。例えば、人の存在を検出する手段は、利用者の発する温度、利用者の発する音、利用者との距離、又は、利用者が動いたときの空気振動等を計測するセンサであってもよい。また、これらの組み合わせであってもよい。
【００６１】
人の存在を検出する手段は、利用者が歩くときの床の振動を利用するものであってもよい。例えば、振動等を電気エネルギーに変換する圧電素子を圧力センサ付マット２に敷きつめ、その圧電素子が出力した電気エネルギーや電圧をモニタすることでマット上に人が居るか否かを検出してもよい。圧電素子が変換した電気エネルギーは、データ送信部２５、タイマ２６、および、識別ＩＤ格納部２７等のエネルギー源として利用してもよい。
【００６２】
また、利用者の存在を検出する手段は、部屋の光量を計測するものであってもよい。例えば、シート状の太陽電池パネルを床に設置し、そのシートの発電量で利用者がシートの上に居るか否かを検出する。勿論、上述のセンサと組み合わせて判別してもよい。
【００６３】
圧電素子や太陽電池パネルを使用すれば、電源供給が困難な場所（例えば配電盤やコンセントから遠くてセンサに電源を供給するのが困難な場所）であっても、電池等のバッテリーを使用することなくセンサを設置できる。バッテリー等を使用しないことにより環境負荷低減も実現できる。
【００６４】
センサの検出結果としてはオン化、オフ化の一方であってもよいし、所定の範囲内（例えばマット上）に人が居るか否か（オン、オフ）であってもよい。
【００６５】
センサの取り付け場所はマットに限られない。カーペット、畳、座布団、パネル、シート、いす、布団、電気製品、壁、床、天井、階段、扉、窓、ガラス、家具、流し台、蛇口、ユニットバス、便座等、他の物に取り付けてもよい。
【００６６】
マットには複数のセンサを取り付けてもよい。これにより、１枚のマットの設置で、人の移動方向の把握が可能になる。
【００６７】
処理装置３の設置場所は利用者の家に限られない。管理者の下（例えば、役場の建物の中）に設置してもよい。
【００６８】
管理者の下に処理装置３を設置する場合、複数の利用者を同時に管理できるようにしてもよい。この場合、処理装置３は利用者それぞれに対応したパターンデータを備えていてもよい。また、利用者それぞれの受信履歴を保持してもよい。これにより、複数の利用者の同時管理が可能になり、効率的な管理体制が実現できる。
【００６９】
利用者の家に処理装置３を設置する場合、一階と二階のようなまとまった単位で処理装置３を設置してもよい。１つの家に住む複数の利用者の異変を別々に検知したい場合など、まとまった単位での異変検知が可能になる。
【００７０】
パターンデータは、図８に示すように、パターンデータはデータベースで管理されてもよい。データベースはＭｉｃｒｏｓｏｆｔ  Ａｃｃｅｓｓのような関係データベースで構築されていてもよい。データベースを用いる場合、受信履歴をサーチする手段は、ＳＱＬ解釈実行エンジンであってもよい。また、受信履歴もデータベースで管理されてもよい。
【００７１】
通報の手段は電話回線に限られない。Ｗｅｂ、専用回線、携帯電話、無線等を用いて通報してもよい。
【００７２】
通報の手段は、光を使用するものであってもよい。例えば回転灯、点滅するランプ、色の付いたランプ等を使用して、周囲の者に異常を知らせてもよい。また、文字や記号等を光で表示させてもよい。さらに、通報の手段は、音を使用するものであってもよい。例えば、スピーカーで警告音を発して周囲の者に異常を知らせてもよい。
【００７３】
通報の手段は、所定のフォーマットのデータを通報場所へ送信するものであってもよい。また、予め音声を吹き込んだテープを再生するものであってもよい。さらに、Ｅ−ｍａｉｌやＦＡＸ等で書面を送付するものであってもよい。光や音で周囲の者に異常を知らせるものであってもよい。
【００７４】
上記の実施形態の一部または全部は、以下の付記のようにも記載されうるが、以下には限られない。
【００７５】
（付記１）人の存在を検出する人感センサと、前記人感センサに接続され、人を検出した前記人感センサを特定する特定情報と検出時刻を特定する検出時刻情報とを対応付けて蓄積する蓄積手段と、前記蓄積手段に蓄積された情報に基づいて人の行動または人の現在の状態を特定し、特定した行動または状態に基づいて異変の発生を検知する異変検知手段と、前記異変検知手段が異変の発生を検知した場合に、管理者に異変の発生を通報する異変通報手段とを有することを特徴とする異変検知システム。
【００７６】
（付記２）前記人感センサは、部屋の出入り口の外側に設置された第１の人感センサと、前記部屋の出入り口の内側に設置された第２の人感センサと、を有し、前記異変検知手段は、前記第１の人感センサが人を検出した後、所定時間内に前記第２の人感センサが人を検出した場合に、人が前記部屋へ入室したと特定し、入室を特定した後、一定時間内に、前記人感センサのいずれも人を検出しない場合には、人に異変が発生したと判別することを特徴とする付記１に記載の異変検知システム。
【００７７】
（付記３）前記人感センサは、人が所定範囲内に入ったことを検出する手段と、人が所定範囲内から出たことを検出する手段と、を有し、前記異変検知手段は、前記人感センサが、人が所定範囲内に入ったことを検出した後、一定時間内に、人が所定範囲内から出たことを検出できない場合には、人に異変が発生したと判別することを特徴とする付記１に記載の異変検知システム。
【００７８】
（付記４）前記人感センサは、マットと、該マットに備え付けられた圧力センサと、を有することを特徴とする付記１乃至３のいずれかに記載の異変検知システム。
【００７９】
（付記５）前記圧力センサは、人が前記マットの上を通過する際の圧力や振動を電気エネルギーに変換する圧電素子と、前記圧電素子により、前記マット上の人の存在を検出する検出手段と、を有し、前記人感センサは、前記圧電素子が変換した電気エネルギーをエネルギー源として、前記蓄積手段に情報を送信する送信手段を有することを特徴とする付記４に記載の異変検知システム。
【符号の説明】
【００８０】
１              異変検知システム
２（２１〜２ｎ）  圧力センサ付マット
３              処理装置
４              扉
５              管理システム
２１            マット本体
２２            圧力センサ
２３            圧力検出部
２４            制御部
２５            データ送信部
２６、３５      タイマ
２７            識別ＩＤ格納部
３１            データ受信部
３２            記憶部
３３            処理部
３４            異変通報部
【図１】
2011209860.tif 000003
【図２】
2011209860.tif 000004
【図３】
2011209860.tif 000005
【図４】
2011209860.tif 000006
【図５】
2011209860.tif 000007
【図６】
2011209860.tif 000008
【図７】
2011209860.tif 000009
【図８】
2011209860.tif 000010